(57)【要約】【課題】端子台装置の正極線接続部と負極線接続部とに繋ぐ正極線と負極線とのターミナル端子の形状が互いに異なり、異なった極性側の接続部にターミナル端子を合わせようとした場合にはターミナル端子の平板部が適正な状態で置けず、そのネジ止めが行なえないようにして、正極線と負極線とを極性が適合した状態で各接続部に確実に繋ぐことができるようにする。【解決手段】正極線接続部９と負極線接続部１０とを並べて一体に構成し、正極用ターミナル端子２１及び負極用ターミナル端子２２の少なくともいずれか一方のターミナル端子が他方のターミナル端子に対応する正極線接続部９もしくは負極線接続部１０のいずれかにネジ止めをする際に不具合を生じさせる障害部２３ａ、２３ｂを設けた。【選択図】図４
2014143045.tif 000002
【特許請求の範囲】
【請求項１】
直流電力の正極側が接続されるリング状の正極用ターミナル端子がネジ止めされる正極線接続部と前記直流電力の負極側が接続されるリング状の負極用ターミナル端子がネジ止めされる負極線接続部とを有してなる端子台装置において、
前記正極線接続部と前記負極線接続部とを並べて一体に構成し、前記正極用ターミナル端子及び前記負極用ターミナル端子の少なくともいずれか一方のターミナル端子が他方のターミナル端子に対応する前記正極線接続部もしくは前記負極線接続部のいずれかにネジ止めをする際に不具合を生じさせる障害部を有することを特徴とする端子台装置。
【請求項２】
前記障害部は、前記正極用ターミナル端子及び前記負極用ターミナル端子の他方のターミナル端子の外形異形部分に嵌ることを特徴とする請求項１に記載の端子台装置。
【請求項３】
前記正極線接続部及び前記負極線接続部はそれぞれ絶縁体である台座部の上に導電板を重ねてなると共に、前記障害部は台座部の一部分を突出させた凸部であることを特徴とする請求項１又は請求項２に記載の端子台装置。
【請求項４】
前記導電板は、障害部を補強する立片を有することを特徴とする請求項３に記載の端子台装置。
【請求項５】
前記正極線接続部に接続される前記正極用のターミナル端子は前記正極線接続部を示す表示を有し、前記負極線接続部に接続される前記負極用のターミナル端子は前記負極線接続部を示す表示を有することを特徴とする請求項４に記載の端子台装置。
【請求項６】
再生可能エネルギーから得られる直流電力を正極の直流電力が供給されるリング状の正極用ターミナル端子がネジ止めされる正極線接続部と負極の直流電力が供給されるリング状の負極用ターミナル端子がネジ止めされる負極線接続部とを有してなる端子台装置を介して入力する当該端子台装置を備える電気機器において、
前記端子台装置から入力した前記直流電力を交流電力に変換して系統へ出力する複数の交流線接続部を有し、前記負極線接続部、前記正極線接続部、及び前記複数の交流線接続部を順に並べて一体に構成し、前記正極用ターミナル端子及び前記負極用ターミナル端子の少なくともいずれか一方のターミナル端子が他方のターミナル端子に対応する前記正極線接続部もしくは前記負極線接続部のいずれかにネジ止めをする際に不具合を生じさせる障害部を有する端子台装置を備えることを特徴とする電気機器。
【請求項７】
前記障害部は、前記正極用ターミナル端子及び前記負極用ターミナル端子の他方のターミナル端子の外形異形部分に嵌る請求項６に記載の端子台装置を備えることを特徴とする電気機器。
【請求項８】
前記障害部は、前記複数の交流線接続部に夫々接続され前記系統へつながるリング状のターミナル端子の前記正極接続部もしくは前記負極接続部への接続に際して不具合を生じさせる請求項６又は請求項７に記載の端子台装置を備えることを特徴とする電気機器。
【発明の詳細な説明】
【技術分野】
【０００１】
本発明は、直流電力の正極及び負極を端子台装置に接続する際の誤接続を防止する端子台装置と、この端子台装置を備える電気機器に関するものである。
【背景技術】
【０００２】
再生可能エネルギーから得られる直流電力を交流電力に変換して系統へ供給する電気機器としては、例えば、太陽発電システム（図１０に示す）があり、家屋の屋根に太陽光発電をする太陽電池モジュールａを配設し、その太陽電池モジュールａからの直流電力の入力を開閉制御できる接続箱ｂ、この接続箱ｂを経て電力供給される直流電力を交流電力に変換する構成を備えた電気機器ｃ（例えば電力変換装置）がある。
【０００３】
そして、図１１〜図１３に示すように電気機器（電力変換装置）ｃには端子台装置ｄが組み入れられていて、その端子台装置ｄは、絶縁体で一体成型された台座部ｅに、左から順に負極線接続部、正極線接続部、及び複数の交流線接続部（系統接続用の３つの端子台と自立運転時の交流出力用の３つの端子台）が構成されている。図１２は前記端子台装置ｄにおける負極線接続部ｇ、正極線接続部ｆを示しており、直流入力の正極入力部ｈが繋がる正極線接続部ｆには導電板ｊを配して、これに直流供給側からの正極線ｌに取り付けたリング状のターミナル端子ｎがネジ止めされ、直流入力の負極入力部ｉが繋がる負極線接続部ｇには導電板ｋを配して、これに直流供給側からの負極線ｍに取り付けたリング状のターミナル端子ｏがネジ止めされていた。また、前記複数の交流線接続部に接続されるターミナル端子にも全て同じ形状のものが使用され、ターミナル端子の形状が同じであることから、特に正極線接続部と負極線接続部とを逆接続した場合に不具合が生じるものであった。
【０００４】
このような逆接続を防ぐ工夫としては、特許文献１に示されているように蓄電池においてその一方の蓄電池端子自体を凹部を有する形状にするとともに、他方蓄電池端子自体を凸部を有する形状にし、さらに一方の引出線に取り付けた引出線端子自体に前記凹部と嵌合する凸片を設け、他方の引出線に取り付けた引出線端子自体に前記凸部と嵌合する凹切欠部を設けた工夫が提案されており、一方の蓄電池端子に他方の引出線を対応させかけたり、他方の蓄電池端子に一方の引出線を対応させかけた場合に、蓄電池端子と引出線端子とが嵌まり合わないようにしたものがあった。
【先行技術文献】
【特許文献】
【０００５】
【特許文献１】実開昭５８−０３８９７４号公報
【発明の概要】
【発明が解決しようとする課題】
【０００６】
例えば、太陽電池で発電される直流電力を交流電力に変換する電力変換装置では、電力ケーブルを介して供給される直流電力を夫々端子台装置の正極線接続部と負極線接続部に接続する作業を行なっている。そして一般的にこの電力ケーブルの接続作業には家屋それぞれの形状によって異なる作業が必要になる。
【０００７】
しかしながら、この電力ケーブルは正極用と負極用との二本の電線を対として用いる必要があり、両者に被覆の色に違いがあり、二本の電線のどちらの色にも接続先の極性を参照する対応があるものの、配線工事において限定的に定めているものではない。勿論、配線工事の際に二本の電線の内の一方の色の側を正極線用とし他方の色の側を負極線用と定めて取り扱うようになるが、端子台に接続する際に、この電線には正極・負極かかわらずに同じ形状のターミナル端子がかしめ固定されるため、電線の色を見落とした際には正極線と負極線とを端子台の正極線接続部と負極線接続部とに逆接続することがあった。
【０００８】
また、電力変換装置では直流電力が供給される端子台と交流電力が出力される端子台とが並置または単一の端子台として一体に構成されている場合が多く、さらにすべて同じ形状のターミナル端子が用いられている場合が多い。交流電力の出力には直流電力のような極性がなく電線の色分けは意味を有しておらず、直流電力、交流電力の配線が近接していることにより一層直流電力の逆接続を招き易くなっている。
【０００９】
この対策として上記特許文献１に示されている如く、例えば図１２の例を基にして説明すれば、正極線接続部ｆの導電板ｊのターミナル端子ｎを受ける部分自体の形状を凹部を有する形状とし、他方の負極線接続部ｇの導電板ｋのターミナル端子ｏを受ける部分自体の形状を凸部を有する形状とし、さらに正極線接続部ｆに対応のターミナル端子ｎにあっては、前記凹部に嵌まる凸片のある形状とし、負極線接続部ｇに対応のターミナル端子ｏにあっては、前記凸部が嵌まる凹欠部のある形状とすることが考えられる。
【００１０】
しかし、正極線接続部と負極線接続部とのそれぞれに配される導電板は、ターミナル端子のネジ止めに際しても変形することのないように厚みのある導電金属板からなるものであるため、上述したように板厚み方向で凹んでなる凹部や板厚み方向に盛り上がってなる凸部を形成するとコスト高になるという問題があり、導電板の小型化を図る場合での前記凹部、凸部の形成自体が困難なものとなる。このため、現状において導電板それぞれのターミナル端子を受ける上面部分は平坦であり、ターミナル端子も同一形状としており、誤接続の可能性を無くすことが難しかった。
【００１１】
そこで本発明は上記事情に鑑み、端子台装置の正極線接続部と負極線接続部とに繋ぐ正極線と負極線とのターミナル端子の形状が互いに異なるようにし、異なった極性側の接続部にターミナル端子が合わないようにする端子台を提供することを目的とする。
【課題を解決するための手段】
【００１２】
（請求項１の発明）
本発明は上記課題を考慮してなされたもので、直流電力の正極側が接続されるリング状の正極用ターミナル端子がネジ止めされる正極線接続部と前記直流電力の負極側が接続されるリング状の負極用ターミナル端子がネジ止めされる負極線接続部とを有してなる端子台装置において、
前記正極線接続部と前記負極線接続部とを並べて一体に構成し、前記正極用ターミナル端子及び前記負極用ターミナル端子の少なくともいずれか一方のターミナル端子が他方のターミナル端子に対応する前記正極線接続部もしくは前記負極線接続部のいずれかにネジ止めをする際に不具合を生じさせる障害部を有することを特徴とする端子台装置を提供して、上記課題を解消するものである。
【００１３】
（請求項２の発明）
また、本発明の端子台装置にあっては、前記障害部は、前記正極用ターミナル端子及び前記負極用ターミナル端子の他方のターミナル端子の外形異形部分に嵌るものとすることが良好である。
【００１４】
（請求項３の発明）
また、本発明の端子台装置にあっては、前記正極線接続部及び前記負極線接続部はそれぞれ絶縁体である台座部の上に導電板を重ねてなると共に、前記障害部は台座部の一部分を突出させた凸部であることが良好である。
【００１５】
（請求項４の発明）
また、本発明の端子台装置にあっては、前記導電板は、障害部を補強する立片を有することが良好である。
【００１６】
（請求項５の発明）
また、本発明の端子台装置にあっては、前記正極線接続部に接続される前記正極用のターミナル端子は前記正極線接続部を示す表示を有し、前記負極線接続部に接続される前記負極用のターミナル端子は前記負極線接続部を示す表示を有することが良好である。
【００１７】
（請求項６の発明）
また、請求項６の電気機器は、再生可能エネルギーから得られる直流電力を正極の直流電力が供給されるリング状の正極用ターミナル端子がネジ止めされる正極線接続部と負極の直流電力が供給されるリング状の負極用ターミナル端子がネジ止めされる負極線接続部とを有してなる端子台装置を介して入力する当該端子台装置を備える電気機器において、
前記端子台装置から入力した前記直流電力を交流電力に変換して系統へ出力する複数の交流線接続部を有し、前記負極線接続部、前記正極線接続部、及び前記複数の交流線接続部を順に並べて一体に構成し、前記正極用ターミナル端子及び前記負極用ターミナル端子の少なくともいずれか一方のターミナル端子が他方のターミナル端子に対応する前記正極線接続部もしくは前記負極線接続部のいずれかにネジ止めをする際に不具合を生じさせる障害部を有する端子台装置を備えることを特徴とする電気機器であり、この電気機器を提供して上記課題を解消するものである。
【００１８】
（請求項７の発明）
また、本発明の電気機器にあっては、前記障害部は、前記正極用ターミナル端子及び前記負極用ターミナル端子の他方のターミナル端子の外形異形部分に嵌る請求項６に記載の端子台装置を備えることが良好である。
【００１９】
（請求項８の発明）
また、本発明の電気機器にあっては、前記障害部は、前記複数の交流線接続部に夫々接続され前記系統へつながるリング状のターミナル端子の前記正極接続部もしくは前記負極接続部への接続に際して不具合を生じさせる請求項６又は請求項７に記載の端子台装置を備えることが良好である。
【発明の効果】
【００２０】
（請求項１の発明の効果）
請求項１の発明によれば、正極線接続部と負極線接続部に正極用ターミナル端子と前記負極用ターミナル端子とをその極性を不一致にして対応させようとした際、ネジ止めをすることへの不具合を生じさせる障害部の機能が働いた部分では接続部とターミナル端子とのネジ止めそのものができなくなり、作業者は誤接続であることを簡単に知ることができて、その誤接続を未然に防止することができるという優れた効果を奏するものである。
【００２１】
（請求項２の発明の効果）
請求項２の発明によれば、障害部がターミナル端子の外形異形部分に嵌まるようにしているので、ターミナル端子を各接続部に対応させる際に、前記障害部の有無、位置、数などの確認とターミナル端子側の形状の確認とを行なうことで、極性が一致する対応付けであるか否かが簡単に判るようになる。また、障害部がターミナル端子の外形異形部分に嵌まるようにしているため、ターミナル端子自体の位置決めが頗る良好になるという優れた効果を奏する。
【００２２】
（請求項３の発明の効果）
請求項３の発明によれば、障害部は台座部の一部分を上方に向けて突出させた凸部であるので、その障害部の構造が極めて簡単で端子台装置の製造コストを引き上げないという優れた効果を奏する。
【００２３】
（請求項４の発明の効果）
請求項４の発明によれば、障害部が立片にて支えられているのでその障害部自体の強度が向上し、極性不適合の状態でターミナル端子が接続部に配置されかけても障害部がそのターミナル端子に当接し続けて、誤接続をより確実に防止できるという優れた効果を奏する。
【００２４】
（請求項５の発明の効果）
請求項５の発明によれば、正極用、及び負極用のターミナル端子それぞれに設けられた表示を作業者が目視にて確認することで、そのターミナル端子を対応付ける接続部を簡単に把握でき、誤接続をより確実に防止できるという優れた効果を奏する。
【００２５】
（請求項６の発明の効果）
請求項６の発明によれば、端子台装置に直流電力供給側のケーブルにおける正極線と負極線とを接続するに際し、極性を誤って接続しかけた場合には、端子台装置の一方の接続部では、誤った極性側の端子となっているターミナル端子を接続することができないようになり、作業者は誤接続であることを簡単に知ることができて、誤接続を未然に防止することができるという優れた効果を奏するものである。
【００２６】
（請求項７の発明の効果）
請求項７の発明によれば、障害部がターミナル端子の外形異形部分に嵌まるようにしているので、ターミナル端子を各接続部に対応させる際に、前記障害部の有無、位置、数などの確認とターミナル端子側の形状の確認とを行なうことで、極性が一致する対応付けであるか否かが簡単に判るようになる。また、障害部がターミナル端子の外形異形部分に嵌まるようにしているため、ターミナル端子自体の位置決めが頗る良好になるという優れた効果を奏する。
【００２７】
（請求項８の発明の効果）
請求項８の発明によれば、複数の交流線接続部に夫々接続されて系統へつながるリング状のターミナル端子を、誤って正極線接続部や負極線接続部へ対応付けして誤接続することを確実に防止できるという優れた効果を奏するものである。
【図面の簡単な説明】
【００２８】
【図１】本発明に係る電気機器の一例を概略的に示す説明図である。
【図２】本発明に係る端子台装置の第一の例での並設された正極線接続部と負極線接続部とを示す説明図である。
【図３】第一の例を分解状態で示す説明図である。
【図４】第一の例におけるターミナル端子を示すもので、（ア）は正極のターミナル端子を示す説明図、（イ）は負極のターミナル端子を示す説明図である。
【図５】第一の例における負極線接続部とターミナル端子との対応を示すもので、（ア）は適正な接続状態を示す説明図、（イ）は障害部に正極のターミナル端子が当接した状態を示す説明図である。
【図６】第二の例を示す説明図である。
【図７】第二の例を分解状態で示す説明図である。
【図８】第二の例におけるターミナル端子を示すもので、（ア）は正極のターミナル端子を示す説明図、（イ）は負極のターミナル端子を示す説明図である。
【図９】ターミナル端子の他の例を示すもので、（ア）は正極のターミナル端子を示す説明図、（イ）は負極のターミナル端子を示す説明図である。
【図１０】太陽光発電を概略的に示す説明図である。
【図１１】従来における電力変換装置とした電気機器を一部切り欠いて示す説明図である。
【図１２】従来における電気機器における端子台装置の一部分を示す説明図である。
【図１３】従来における電気機器における端子台装置の一部分を分解状態で示す説明図である。
【発明を実施するための形態】
【００２９】
つぎに本発明を図１から図９に示す実施の形態に基づいて詳細に説明する。なお、上述した従来の例と構成が重複する部分は同符号を付してその説明を省略する。図１に示すように電力変換装置（電気機器）１は、主に直流電力を交流電力に変換する構成の部分Ａと、直流側につながる正極線接続部９及び負極線接続部１０、系統側へつながる交流接続部（交流用端子２つと中間端子との３つの端子）、及び自立運転時の交流接続部（交流用端子２つと接地用端子との３つの端子）が１列の直線状に配置されるように絶縁性の樹脂で一体に成形された端子台装置４のある部分Ｂとをケース内に組み入れられているものである。本発明は前記部分Ｂの端子台装置４に工夫が施されている。
【００３０】
（第一の例）
接続箱ｂ（図１０参照）と電力変換装置１とをケーブル接続する際の電力変換装置１に組み入れられた上記端子台装置４にあっては、正極線接続部９と負極線接続部１０とに対しケーブル８の正極線１３と負極線１４とが誤接続されないようにするための工夫が設けられていて、図２から図５はその第一の例を示している。この端子台装置４においては、直流電力入力側（直流接続側）の正極入力部６と正極線接続部９との内、正極線接続部９の方が高い位置になる階段状に成形されている。負極入力部７と負極線接続部１０とにおいても同様の高さ関係がある。
【００３１】
図３に示すように、正極入力部６から正極線接続部９にかけては略Ｚ字状に屈曲した導電板１１を取り付けられ、負極入力部７から負極線接続部１０にかけても同じように略Ｚ字状に屈曲した導電板１２を取り付けられており、台座部５の前記正極線接続部９（取付面１９）には導電板１１の上平板１１ａが位置し、前記負極線接続部１０（取付面２０）には導電板１２の上平板１２ａが位置している。
【００３２】
正極線接続部９と負極線接続部１０とのそれぞれには、正極線１３にかしめ固定したターミナル端子２１と、負極線１４にかしめ固定したターミナル端子２２とのそれぞれをネジ止めできるように上平板１１ａ、１２ａからその下位の取付面１９、２０にかけて、その取付面１９、２０の中央線上となるようにしてネジ孔１６ａ、ｂが設けられている。また、前記上平板１１ａと上平板１２ａとが配置されている部分においては、正極線接続部９と負極線接続部１０とには互いに異なる位置にして障害部２３ａ、２３ｂ（突起、または凸部など）を台座部５の樹脂による成形の際に一体に成形されていて、図３に示されているように正極線接続部９に障害部２３ａがあり、負極線接続部１０に障害部２３ｂがある。
【００３３】
正極線接続部９の障害部２３ａに関して、取付面１９では、正極入力部６側（段落ちされた側）の端部の両側に設けられており、取付面１９の端部両側の部分を上方に向けて突設させた凸部によってその障害部２３ａが台座部５に対して一体に成されている。さらにこの対の障害部２３ａは両脇の壁にも一体となって成形されており、これによって障害部２３ａそれぞれは、ターミナル端子をネジ止めした際の押え付け力で段落ち側に倒れ込みしないように補強した構造としている。この対の障害部２３ａは取付面１９の中央線位置に対して線対称となる位置にあり、形状も線対称としている。
【００３４】
負極線接続部１０の障害部２３ｂに関して、取付面２０では、負極入力部７側（段落ちされた側）の端部の中央に設けられており、その中央の部分を上方に向けて突出させた凸部によって台座部５に一体にして形成されている。取付面２０でのこの障害部２３ｂは一つであって単独で突出しているものであるが、ターミナル端子をネジ止めした際の押え付け力を受けても段落ち側に折曲しないように後述の導電板で支持されて補強されているものである。この単独で起立する障害部２３ｂは取付面２０の中央線位置に対してその中央線上に位置し、単独の形状も線対称の形状としている。
【００３５】
また、上記障害部２３ａ、２３ｂの上端は、両接続部９、１０に対して適正な極性側となっているターミナル端子が上方から乗せ置かれるときに上平板１１ａ、１２ａ側にスムーズに下りるようにするために面取りされた形状としている。
【００３６】
図３に示すように、正極線接続部９に配置される導電板１１の上平板１１ａには、正極線接続部９での対の障害部２３ａの位置を避けてその障害部２３ａを上方に通すことができるように切り欠きからなる回避部２４ａが設けられているとともに、負極線接続部１０に配置される導電板１２の上平板１２ａには、負極線接続部１０の単独の障害部２３ｂの位置を避けてその障害部２３ｂを上方に通すことができるように開口からなる回避部２４ｂが設けられている。なお、図３に示す分解した構成では台座部５の下部（接続器として複数の端子台構成部分の基部が繋がる箇所）は端子台装置４の説明を容易にするためにその図示を略した。
【００３７】
さらに上平板１２ｂの開口からなる回避部２４ｂにあっては、ターミナル端子を重ね合わせた際にそのターミナル端子と干渉しない位置、実施の例にあっては開口の回避部２４ｂにおける屈曲部分側の辺に立片２５が一体にして立ち上げられており、図５（イ）に示すように負極線接続部１０において上平板１２ａを配置することで前記立片２５が障害部２３ｂの側面に対応位置して、この障害部２３ｂがターミナル端子から押さえ付けられても倒れ込みしないように補強する。
【００３８】
図４に示すように、一方、正極線１３にかしめ固定されたターミナル端子２１（図４（ア））と、負極線１４にかしめ固定されたターミナル端子２２（図４（イ））とにおいては、従来のターミナル端子と同じように上記両接続部９、１０のネジ孔位置と応じた位置にネジ孔１６を有した平板部２６、２８とかしめ部２７、２９とからなり、平板部２６、２８の外形形状が互いに異なっている。
【００３９】
即ち、このターミナル端子２１、２２の平板部２６、２８の互いの外形形状の相違と上記障害部２３ａ、２３ｂとを利用して、作業者が誤接続を直ぐに判るようにすることを目的としているもので、正極線接続部９や負極線接続部１０にその極性が相違する状態でターミナル端子２１や２２が配されかけた場合に、障害部２３ｂにターミナル端子２１が乗って、平板部２６が上平板１２ａに重ねられないように（図５（イ）参照）、また、障害部２３ａにターミナル端子２２が乗って、平板部２８が上平板１１ａに重ねられないようにしている。一対の正極線接続部９と負極線接続部１０に対して一対の正極線１３と負極線１４を繋ぐ場合の誤接続を防止するものであることから、一方でのネジ止め作業で誤接続が行なわれかけたことが作業員側に判断できればよいものであるが、この第一の例にあっては、ターミナル端子２１、２２のいずれでも誤接続が判断できるようにしている。
【００４０】
図４に示すように正極線１３に取り付けられるターミナル端子２１の平板部２６でのかしめ部２７とは反対の端部両側（外端両側）には、切り欠きからなる外形異形部分３０が設けられている。この切り欠きからなる対の外形異形部分３０は、ターミナル端子２１のネジ孔の位置を通る中心線を中心にして線対称となる位置であり、線対称となる切り欠き形状にしている。そして、正極線接続部９に、この正極線接続部９の極性と同じ極性となっている前記ターミナル端子２１を配置する際には、正極線接続部９での上記対の障害部２３ａが切り欠きの外形異形部分３０それぞれの位置に嵌まり込み、上平板１１ａにターミナル端子２１の平板部２６を重ね合わせることで、上平板１１ａのネジ孔１６の位置と平板部２６のネジ孔１６の位置とを合わせることができて、ネジ止めできるようにしている（図５（ア）参照）。
【００４１】
同様に負極線１４に取り付けられるターミナル端子２２の平板部２８でのかしめ部２９とは反対の端部中央に切り欠きからなる一つの外形異形部分３０が設けられ、ターミナル端子２２のネジ孔の位置を通る中心線上に位置しており、前記一つの外形異形部分３０自体の形状はネジ孔の位置を通る中心線に対して線対称としている。そして、負極線接続部１０に、この負極線接続部１０の極性と同じ極性となっている前記ターミナル端子２２を配置する際には、負極線接続部１０での上記一つの障害部２３ｂが前記一つの外形異形部分３０の位置に嵌まり込み、上平板１２ａにターミナル端子２２の平板部２８を重ね合わせることで、上平板１２ａのネジ孔１６の位置と平板部２８のネジ孔１６の位置とを合わせることができ、ネジ止めできるようにしている。
【００４２】
ターミナル端子２１とターミナル端子２２との両者の外形形状を比較して明らかなように、互いに対応する部分での外形異形部分３０の有無によってターミナル端子２１とターミナル端子２２との両者の外形形状が異なっている。そして、一方のターミナル端子である正極線１３に取り付けたターミナル端子２１の平板部２６のかしめ部２７とは反対の中央部分、即ち、前記ターミナル端子２１の対の外形異形部分３０の間であって、他方のターミナル端子である負極線１４に取り付けたターミナル端子２２の切り欠きからなる外形異形部分３０に対応する部分は、図示から明らかなように切り欠き非存在の平板３１として形成されてなるものである。
【００４３】
このように正極線１３に取り付けられているターミナル端子２１の平板部２６の外端中央は、切り欠きとはせずに平板３１とした部分がある。そして、図５（イ）に示されているように、正極のターミナル端子２１を負極線接続部１０に対応させようとする際には、その負極線接続部１０での上記障害部２３ｂに正極のターミナル端子２１の平板３１が乗るようにして当接することとなる。よって、負極線接続部１０の導電板１２の上平板１２ａに正極のターミナル端子２１の平板部２６が重ならず、誤った接続でのネジ止め作業を防止する。また、前記障害部２３ｂも導電板１２での立片２５で支えられているので倒れ込みせず、これによっても正極のターミナル端子２１の平板部２６の誤った重ね合わせをより一層確実に防止する。
【００４４】
同様に、他方のターミナル端子である負極線１４に取り付けたターミナル端子２２での平板３１の位置についても説明する。負極のターミナル端子２２の平板部２８のかしめ部２９とは反対の外端両側、即ち、平板部２８の外端中央の切り欠きからなる外形異形部分３０の両側であって、上記一方のターミナル端子である正極線１３に取り付けたターミナル端子２１の上記対の外形異形部分３０に対応する部分それぞれを、切り欠きとはしていない平板３１として設けている。前記対の平板３１は、正極のターミナル端子２１の対の切り欠きからなる外形異形部分３０に対応する位置であり、平板部２８の中心線を中心として線対称となる位置に設けられている。
【００４５】
そして、負極線１４に取り付けられているターミナル端子２２では、平板部２８の外端両側に平板３１があるので、負極のターミナル端子２２を、例えば正極線接続部９に対応させて接続しようとする際には、正極線接続部９での対の障害部２３ａにこの負極のターミナル端子２２の平板３１が乗るようにして当接することとなり、正極線接続部９の導電板１１の上平板１１ａに負極のターミナル端子２２の平板部２８が重ならず、誤った接続でのネジ止め作業を防止する。
【００４６】
正極線接続部９の対の障害部２３ａに対応して平板部２６に二つの外形異形部分３０（切り欠き）を設けたターミナル端子２１と、負極線接続部１０の一つの障害部２３ｂに対応して平板部２８に一つの外形異形部分３０（切り欠き）を設けたターミナル端子２２とでは、互いに外形異形部分３０の位置、個数を異ならせて上記平板３１を形成している。このように正極のターミナル端子２１と負極のターミナル端子２２とは対応する同一箇所での切り欠き（外形異形部分３０）の有無によって外形形状を相違させているだけであるため、製造コストを上昇させず、そして誤接続も簡単に判るものとなっている。
【００４７】
（第二の例）
図６から図８は第二の例を示している。上記第一の例では正極のターミナル端子２１と負極のターミナル端子２２とのいずれにも切り欠きからなる外形異形部分３０を設けているが、この第二の例は一方のターミナル端子にのみ切り欠きからなる外形異形部分を設けた構成である。図示しているように、本端子台装置４の正極線接続部９と負極線接続部１０ではそれぞれ導電板１１、１２の上平板１１ａ、１２ａの屈曲側中央に開口の回避部２４ａ、２４ｂが設けられている。前記上平板１１ａと１２ｂとは同一形状であり、導電板１１と１２とを同一形状としている。そして、正極線接続部９では前記上平板１１ａを通る障害部は設けられておらず、負極線接続部１０でのみ前記上平板１２ａの回避部２４ｂを通して上方に向けて突出する障害部２３ｂが設けられている。
【００４８】
図８（ア）に示すように上記正極線接続部９に対応する正極線１３に取り付けたターミナル端子２１は、平板部２６のかしめ部２７とは反対の外端を円弧形状にして外端の中央を平板３１としており、前記平板部２６は切り欠き（外形異形部分）を有しない外形形状としている。この正極のターミナル端子２１を正極線接続部９に配した状態では、上平板１１の回避部２４ａの一部分に平板部２６の外端部分がかかるように位置し、この状態でネジ止めできるようにしている（図６参照）。また、正極のターミナル端子２１を負極線接続部１０に配しようとした際には、負極線接続部１０の一つの障害部２３ｂにターミナル端子２１の平板３１が当接することとなり、誤接続の状態では正極のターミナル端子２１をネジ止めできないようになる。
【００４９】
また、図８（イ）に示すように負極線接続部１０に対応する負極線１４に取り付けたターミナル端子２２は、平板部２８のかしめ部２９とは反対の外端中央（中心線上の位置）にして切り欠きからなる外形異形部分３０が設けられており、負極線接続部１０にターミナル端子２２を配した状態では障害部２３ｂが前記外形異形部分３０に嵌まって、適正にネジ止めできるようにしている（図６参照）。また、この負極のターミナル端子２２を極性の異なる正極線接続部９に対応させた場合、上述したように正極線接続部９に障害部が設けられていないので、誤接続の状態で接続することとなる。しかしながら、残りの正極のターミナル端子２１を負極線接続部１０側に配しなければならないこととなり、上述したように正極のターミナル端子２１が負極線接続部１０に、構造上、接続できないので、やはり誤接続であることが容易に判断できるものとなっている。
【００５０】
上述した第一の例においては、正極のターミナル端子２１と負極のターミナル端子２２との平板部２６、２８それぞれの外端に切り欠きからなる外形異形部分３０を設けているが、外形異形部分３０、即ち切り欠きを設ける領域は外端に限定されるものではない。例えば図９に示すようにターミナル端子２１、２２の平板部２６、２８における両側端に外形異形部分３０を設けるようにしてもよく、正極のターミナル端子２１の平板部２６の両側の外形異形部分３０と負極のターミナル端子２２の平板部２８の両側の外形異形部分３０との位置を異ならせて、それぞれ対応する箇所に平板３１を形成するようにしてもよい。勿論、この場合のターミナル端子２１、２２をネジ止めする正極線接続部９、負極線接続部１０の障害部２３ａ、２３ｂの位置も、接続部と極性が同じターミナル端子の前記外形異形部分の位置に対応するようにする。このように正極のターミナル端子２１と負極のターミナル端子２２との平板部２６、２８それぞれの平板部２６、２８に設ける外形異形部分３０の個数を同じとしても、その位置を互いに異ならせることで誤接続を簡単に防止できる。
【００５１】
第一の例及び第二の例において、図４と図８に示されているように正極のターミナル端子２１の平板部２６のかしめ部２７の近傍には、正極線接続部９を示す＋の表示３２が設けられているとともに、負極のターミナル端子２２の平板部２８のかしめ部２９の近傍には、負極線接続部１０を示す−の表示３３が設けられており、接続をする作業者が前記表示３２、３３を目視確認することでも、ターミナル端子２１、２２をその極性が不適合とならないように接続すべき箇所が正極線接続部９と負極線接続部１０のいずれであるかを判断し易くしている。これによって誤接続を防止する効果がより高められている。
【００５２】
上述したように本端子台装置４にあっては、直流側につながる並設された正極線接続部９と負極線接続部１０との他にこれに一列にして直線状に並ぶように、系統側へつながる交流接続部、及び自立運転時の交流接続部が配置されているものである。
【符号の説明】
【００５３】
１…電気機器
４…端子台装置
５…台座部
６…正極入力部
７…負極入力部
８…ケーブル
９…正極線接続部
１０…負極線接続部
１１…正極側の導電板
１１ａ…上平板
１２…負極側の導電板
１２ａ…上平板
１３…正極線
１４…負極線
１６…ネジ孔
２１…正極線のターミナル端子
２２…負極線のターミナル端子
２３ａ、２３ｂ…障害部
２４ａ、２４ｂ…回避部
２５…立片
２６…ターミナル端子の平板部
２７…ターミナル端子のかしめ部
２８…ターミナル端子の平板部
２９…ターミナル端子のかしめ部
３０…外形異形部分
３１…平板
Ａ…変換機器として構成されている部分
Ｂ…接続部として構成されている部分
【図１】
2014143045.tif 000003
【図２】
2014143045.tif 000004
【図３】
2014143045.tif 000005
【図４】
2014143045.tif 000006
【図５】
2014143045.tif 000007
【図６】
2014143045.tif 000008
【図７】
2014143045.tif 000009
【図８】
2014143045.tif 000010
【図９】
2014143045.tif 000011
【図１０】
2014143045.tif 000012
【図１１】
2014143045.tif 000013
【図１２】
2014143045.tif 000014
【図１３】
2014143045.tif 000015